(57)【要約】      （修正有）【課題】永久磁石による水質改善効果の高い水槽用水処理装置を提供する。【解決手段】複数の永久磁石４と、永久磁石４を保持するフレーム３と、フレーム３を内包するケース２と、を備え、魚類などの水生生物の水槽に入れて用いられる水槽用水処理装置であって、フレーム３は、永久磁石４を隙間４２をもって実質的に対向させて保持し、ケース２は、永久磁石４の下方に位置する下部開口２１と、永久磁石４の上方に位置する上部開口２０と、を有し、フレーム３又はケース２に、水槽内に空気を供給するチューブ９３をその先端を永久磁石４の下方に位置させて保持する保持部３２ｃを設けた。【選択図】図２
0003186756.tif 000002
【実用新案登録請求の範囲】
【請求項１】
複数の永久磁石と、当該永久磁石を保持するフレームと、当該フレームを内包するケースと、を備え、魚類などの水生生物の水槽に入れて用いられる水槽用水処理装置であって、
前記フレームは、前記永久磁石を隙間をもって実質的に対向させて保持し、
前記ケースは、前記永久磁石の下方に位置する下部開口と、前記永久磁石の上方に位置する上部開口と、を有し、
前記フレーム又は前記ケースに、前記水槽内に空気を供給するチューブをその先端を前記永久磁石の下方に位置させて保持する保持部を設けたことを特徴とする水槽用水処理装置。
【請求項２】
請求項１に記載の水槽用水処理装置において、
複数の永久磁石を金属板を挟んで同極同士で対向させて組み立てた磁石組立体を複数個備え、
前記フレームは、前記磁石組立体を組立体間で金属板が隙間をもって異極同士で実質的に対向させて保持し、
前記保持部は、前記チューブをその先端を前記磁石組立体の下方に位置させて保持することを特徴とする水槽用水処理装置。
【請求項３】
請求項１に記載の水槽用水処理装置において、
複数の永久磁石を金属板を挟んで同極同士で対向させて組み立てた磁石組立体を複数個備え、
前記フレームは、前記磁石組立体を組立体間で金属板が隙間をもって同極同士で実質的に対向させて保持し、
前記保持部は、前記チューブをその先端を前記磁石組立体の下方に位置させて保持することを特徴とする水槽用水処理装置。
【考案の詳細な説明】
【技術分野】
【０００１】
本考案は、魚類などの水生生物の水槽に入れて用いられる水槽用水処理装置に関し、特に、永久磁石による磁気を利用して水処理を行なう装置に関する。
【背景技術】
【０００２】
淡水又は海水の魚類、貝類、水生植物などの水生生物を、鑑賞用に水槽内で飼育することが広く行なわれている。
また、魚類などを生きのよい状態で販売するために、生きた状態の水生生物を水槽に入れて輸送や保存することが行なわれている。
【０００３】
このような水性生物の飼育や保存などを行なう水槽では、比較的短期間で水質が悪化して、水性生物の生息環境が悪化してしまう。
また、特に観賞用の水槽にあっては、ガラス板などの透明パネルで構成されるが、水質の悪化により水垢などでパネルが汚れ、頻繁に清掃することが必要となっている。
【０００４】
特許文献１には、活水器が複数の永久磁石を同極を対向させて同軸に連接した構成を有し、当該活水器を水槽中に投入浸漬すると、槽内水はその対流作用によって改質されることが記載されている。
【０００５】
特許文献２には、磁石の粒体を多数集合状態とし水中に設置し、この集合磁石粒の内部もしくは下方近傍にエアー供給手段のエアー吹き出し口を配置し、エアーが粒状磁石の隙間を通して水中に放出されるようにした給気装置が記載されている。
【０００６】
特許文献３には、金属板を挟んで少なくとも一対の磁石を同極同士が相対するように配置して成る柱体を、当該金属板端部が互いに同極で一定間隔をおいて隣接するように少なくとも２つ以上並立させ、これを流体が流入排出可能な出入り口を有する筐体内に収納し、流体を金属板端部間に通過させることで流体に磁気処理を行う磁気式流体処理装置が記載されている。
【先行技術文献】
【特許文献】
【０００７】
【特許文献１】実開平０５−６３６９６号公報
【特許文献２】特開平０３−１３７９８５号公報
【特許文献３】特開２００５−１３８０４７号公報
【考案の概要】
【考案が解決しようとする課題】
【０００８】
特許文献３に記載されるように、磁石の磁力線を切るように水が流れることで、水質が磁気により改善されて水垢などの発生が防止されることは知られることである。
この特許文献３に記載される磁気式流体処理装置は、配管などの水流中に設置することで水が磁石の磁力線を切って流れるものである。しかしながら、水性生物の飼育などに用いられる水槽は、通常では自然対流程度の水の流れしかないため、このような磁気式流体処理装置はそのまま適用することができない。
【０００９】
他方、特許文献１や特許文献２に記載のものは、水槽に適用することを目的としたものであるが、特許文献１に記載のものにあっては、自然対流による水流で磁石の磁力線を切る程度であるため、磁気による水質改善効果を十分に得ることができるものではなく、また、特許文献２に記載のものにあっては、エアーを粒状磁石の隙間を通して水中に放出するものであり、エアーを磁化対象とするものであって水の磁気処理を行なうものではなく、しかも、磁石粒体を単に多数集合させた状態であるので強力な磁力線効果を得ることができないものであった。
【００１０】
本考案は、上記従来の事情に鑑みなされたものであり、永久磁石による水質改善効果の高い水槽用水処理装置を提供することを目的としている。
【課題を解決するための手段】
【００１１】
本考案は、複数の永久磁石と、当該永久磁石を保持するフレームと、当該フレームを内包するケースと、を備え、魚類などの水生生物の水槽に入れて用いられる水槽用水処理装置であって、前記フレームは、前記永久磁石を隙間をもって実質的に対向させて保持し、前記ケースは、前記永久磁石の下方に位置する下部開口と、前記永久磁石の上方に位置する上部開口と、を有し、前記フレーム又は前記ケースに、前記水槽内に空気を供給するチューブをその先端を前記永久磁石の下方に位置させて保持する保持部を設けたことを特徴とする。
【００１２】
本考案の水槽用水処理装置では、フレームに複数の永久磁石を隙間をもって対向させることにより、水が流れる道となる当該隙間にこれら永久磁石間による磁力線を形成し、しかも、ケースの下部開口から水を流入させるとともに上部開口から水を流出させて、永久磁石の下方から上方へ向かう空気気泡の流れにより永久磁石間の隙間を流れる水流を積極的に形成し、この水流を永久磁石間の磁力線により磁化して水質改善する。
なお、永久磁石は、隙間をもって完全に対向する態様の他、隙間をもって上下にずれて対向する態様であってもよく、実質的に対向していればよい。
【００１３】
しかも、本考案の水槽用水処理装置は、永久磁石を保持するフレームはケースに覆われているので、上記の水流は拡散が抑制されて上記磁力線を切るように効率的に流れる。
更に、永久磁石を保持するフレームは構造的に凹凸形状となってしまうため、水中の汚れが付着し易く、また、観賞用水槽にとって違和感を与えてしまう形態となるが、本考案の水槽用水処理装置は、これをケースで覆っているため、水槽中において違和感のない美しい外観を呈することができる。
【００１４】
本考案の水槽用水処理装置は、淡水又は海水の魚類、貝類、水生植物などの水生生物を飼育するための鑑賞用水槽の他、水性生物を生きのよい状態で販売するために水生生物の輸送用や保存用の水槽など、水槽の用途や大きさなどに特に限定はない。
また、本考案の水槽用水処理装置では、フレームとケースとを別個な部品として構成するほか、これらフレームとケースとを一体の構成として用意してもよい。また、フレーム及びケースは樹脂や金属など種々な材料から構成することができる。
【００１５】
本考案の水槽用水処理装置は、フレームに少なくとも２つの永久磁石を隙間をもって実質的に対向させて保持した構成であればよく、永久磁石の個数や対向極関係などは必要に応じて種々設定することができる。
【００１６】
本考案の水槽用水処理装置は、その好ましい態様の一例として、複数の永久磁石を金属板を挟んで同極同士で対向させて組み立てた磁石組立体を複数個備え、前記フレームは、前記磁石組立体を組立体間で金属板が隙間をもって異極同士で実質的に対向させて保持し、前記保持部は、前記チューブをその先端を前記磁石組立体の前記隙間の下方に位置させて保持するようにすることができる。
【００１７】
このように、複数の永久磁石を金属板を挟んで同極同士で対向させて組み立てた磁石組立体とすることで、金属板の端部から強力な磁力線を得ることができ、しかも、磁石組立体間で金属板が隙間をもって異極同士で実質的に対向しているため、隙間において、一方の磁石組立体から他方の磁石組立体へ短い距離で至る強力且つ磁束密度の高い磁力線は形成され、これによって、隙間を流れる水流を効率よく磁気処理することができる。
【００１８】
また、本考案の水槽用水処理装置は、その好ましい態様の他の一例として、複数の永久磁石を金属板を挟んで同極同士で対向させて組み立てた磁石組立体を複数個備え、前記フレームは、前記磁石組立体を組立体間で金属板が隙間をもって同極同士で実質的に対向させて保持し、前記保持部は、前記チューブをその先端を前記磁石組立体の前記隙間の下方に位置させて保持するようにすることができる。
【００１９】
このように、複数の永久磁石を金属板を挟んで同極同士で対向させて組み立てた磁石組立体とすることで、金属板の端部から強力な磁力線を得ることができ、しかも、磁石組立体間で金属板が隙間をもって同極同士で実質的に対向しているため、一方の磁石組立体から他方の磁石組立体へ至る強力な磁力線が、磁石組立体の段を違えた比較的長い距離の比較的広範囲に形成され、これによって、隙間及びケース内を流れる水を効率よく磁気処理することができる。
【００２０】
なお、本考案では、磁石組立体間で金属板が隙間をもって実質的に対向していればよく、完全な対向状態である他、磁石組立体間で金属板が段差をもって対向する状態であってもよい。
【考案の効果】
【００２１】
本考案によると、永久磁石による水質改善効果が高く、且つ、美観に優れた水槽用水処理装置を得ることができる。
【図面の簡単な説明】
【００２２】
【図１】本考案の一実施形態に係る水槽用水処理装置の利用例を説明する図である。
【図２】本考案の一実施形態に係る水槽用水処理装置の内部構造を示す断面図である。
【図３】本考案の一実施形態に係る水槽用水処理装置の内部構造を示す分解斜視図である。
【図４】本考案の一実施形態に係る水槽用水処理装置の外観構成を示す図であり、（ａ）は平面図、（ｂ）は正面図、（ｃ）は底面図である。
【図５】本考案の一実施形態に係る水槽用水処理装置の磁石極配置の一例を説明する図である。
【図６】本考案の一実施形態に係る水槽用水処理装置の磁石極配置の他の一例を説明する図である。
【考案を実施するための形態】
【００２３】
本考案の水槽用水処理装置を、一実施形態に基づいて具体的に説明する。
図１に示すように、本実施形態の水槽用水処理装置１は、水９０をはった水槽９１の底に設置され、水中に酸素（空気）を供給する空気供給装置９２とチューブ９３によって接続されている。
この水槽５１は、ガラスや樹脂からなる透明パネルで形成された観賞用のものであり、水中で魚９４などの水性生物を飼育している。
また、空気供給装置９２は、小型電動ポンプにより空気をチューブ５３へ圧送する装置であり、市販のものである。
【００２４】
図２乃至図４に示すように、水槽用水処理装置１は、上部と下部とが開口した筒型のケース２と、複数の永久磁石４を保持するフレーム３とを有しており、永久磁石４を保持したフレーム３がケース２に内包されている。
なお、図示を省略してあるが、本実施形態では、フレーム３を入れるためにケース２は半割構造となっている。
また、詳細は後述するように、本実施形態では、３つの永久磁石４が金属板を挟んで同極同士で対向させて磁石組立体５として組み立てられ、この磁石組立体５を４つフレーム３が保持している。
【００２５】
ケース２は、上部に開口２０が形成されるとともに下部に開口２１が形成されており、下部開口２１から流入する水９０が上部開口２０から流出するようになっている。すなわち、下部開口２１は永久磁石４の下方に位置し、上部開口２０は永久磁石４の上方に位置している。
なお、本実施形態では、上部開口２０に十分な通水性のある網目状カバー２２が設けられており、ケース２の内部に収容したフレーム３や永久磁石４といった複雑な形状の構造が外部から見えないようにして水槽用水処理装置１の美観を高めている。
【００２６】
また、ケース２の下部開口２１の縁部には複数の脚２３が設けられており、脚２３がケース２を支持することでケース２の底面と水槽９１の底面との間に隙間を形成して、水槽９１内の水９０が下部開口２１へ流入し易くしている。
なお、本考案では、下部開口２１へ水が流入し易くする方法は、例えばケース２の底面に溝を設けるなど、種々な方法を採用することができる。
【００２７】
本実施形態では、３個の永久磁石４を金属板４０を挟んで同極同士で対向させて組み立てた磁石組立体４１を４個備えており、フレーム３により、これら磁石組立体４１を組立体間で金属板４０が隙間４２をもって、図５及び図６を参照して後述するように、異極同士又は同極同士で実質的に対向させて保持している。
【００２８】
フレーム３は、十字状に梁を渡した環状の押え部材３１，３２と、押え部材３１，３２に設けられた４つの貫通孔３１ａ，３２ａをそれぞれ貫通する４本のネジ棒３３と、ネジ棒３３に螺着するナット３４とを有している。
永久磁石４は中心軸に貫通孔が形成された円柱状であり、金属板４０は扇形を成す磁性体の金属板で、永久磁石４の貫通孔に対応して貫通孔が形成されている。
【００２９】
各磁石組立体４１は、３個の永久磁石４を金属板４０を挟んだ状態で、その上端及び下端を押え部材３１，３２で押え、ネジ棒３３を押え部材３１，３２及び磁石組立体４１を貫通させてその先端（下端）にナット３４を螺着・締結することで、フレーム３に保持されている。
なお、各永久磁石４は、磁性体の金属ケースにそれぞれ入れて、磁石組立体４１を組み立ててもよい。
【００３０】
ネジ棒３３の下端は下側の押え部材３２より突出しており、磁石組立体４１を保持したフレーム３をケース２に収容した状態で、ネジ棒３３の下端がケースの下部開口２１の縁部に載っている。
これによって、フレーム３及び磁石組立体４１とケース２の内底面との間に隙間を形成して、下部開口２１から流入した水が金属板間の隙間及び磁石組立体４１とケース２の内面との隙間に流通しやすくなっている。
【００３１】
下側の押え部材３２の中心は磁石組立体の隙間４２の下方に位置しており、この押え部材３２の中心には、チューブ９３が貫通する孔３２ｂと、孔３２ｂを貫通したチューブ９３を保持する複数の爪部３２ｃが設けられている。これら孔３２ｂと爪部３２ｃとにより、チューブ９３をその先端を永久磁石４の下方に位置させて保持する（本実施形態では、チューブ９３をその先端を磁石組立体４１の隙間４２の下方に位置させて保持する）保持部３５が構成されている。
【００３２】
これにより、チューブ９３の先端から放出された空気気泡が、永久磁石４の間（磁石組立体４１の隙間４２）を通って水中を上方へ浮上する。そして、この気泡の流れによって、同様に流れる水の流れが生じ、下部開口２１から流入する水槽９１の水が永久磁石４の隙間（本実施形態では、磁石組立体４１の隙間４２）を通って上方に流れ、上部開口２０から水槽９１中に流出する。
なお、隙間４２に臨むチューブ９３の先端にはスポンジなどの多孔部材９３ａが取付けられており、チューブ９３の先端からの空気が細かな泡となって水中（特に、隙間４２）に放出されるようにしている。
【００３３】
ここで、本実施形態では、保持部をフレーム３側に設けたが、本考案では、保持部をケース２側に設けようにしてもよい。
また、保持部は、本実施形態の構成に限らず、チューブ９３をその先端を永久磁石４の下方に位置させて保持する（チューブ９３をその先端を磁石組立体４１の隙間４２の下方に位置させて保持する）ことができるものであれば、公知の種々な構成を採用することができる。
【００３４】
本考案では、磁石組立体４１間で金属板４０が、図５に示すように異極同士が対向するようにしてもよく、或いは、図６に示すように同極同士が対向するようにしてもよい。
図５に示す例は、磁石組立体４１間で、金属板４０が異極同士で対向するものであり、永久磁石４が同極同士対向して組み込まれている磁石組立体４１同士を、それらの組み合わせる向きを設定することで、金属板４０を異極同士で対向させることができる。
【００３５】
すなわち、各磁石組立体４１では、金属板４０を挟んで永久磁石４をＮ極同士対向させることで当該金属板４０をＮ極にし、また、金属板４０を挟んで永久磁石４をＳ極同士対向させることで当該金属板４０をＳ極にする。
そして、これら磁石組立体４１を、磁石組立体間で、金属板４０同士がＮ極とＳ極が対向するように組み合わせてフレーム３で保持する。
【００３６】
このような組み合わせにより、Ｎ極とＳ極と間に伸びる磁力線Ｇは、隙間４２内で対向する金属板４０間の比較的短く且つ狭い範囲に集中する。すなわち、隙間４２において、金属板４０間に密度の高い強力な磁力線が形成される。
このため、上記のように隙間４２を通って上方に流れる水流Ａは、密度の高い強力な磁力線を切って流れることで、効率的に磁気処理される。
このような異極同士を対向させる態様は、例えば、空気の供給量が比較的多く、隙間４２内に比較的流速の高い水流を形成する場合に好適である。
【００３７】
図６に示す例は、磁石組立体４１間で、金属板４０が同極同士で対向するものであり、永久磁石４が同極同士対向して組み込まれている磁石組立体４１同士を、それらの組み合わせる向きを設定することで、金属板４０を同極同士で対向させることができる。
この態様においても、上記と同様に、各磁石組立体４１を、磁石組立体間で、金属板４０同士が同極（Ｎ極とＮ極又はＳ極とＳ極）が対向するように組み合わせてフレーム３で保持する。
【００３８】
このような組み合わせにより、Ｎ極とＳ極と間に伸びる強力な磁力線Ｇは金属板４０の段差を違えて形成される。すなわち、磁力線Ｇは、隙間４２内では段差を違えた金属板間に形成され、更には、磁石組立体４１の外周にも段差を違えた金属板間に形成され、ケース２内の比較的広い範囲に形成される。
このため、上記のように隙間４２を通って上方に流れる水流Ａ、更には、磁石組立体４１の外周を上方に流れる水流は、強力な磁力線を切って流れることで、効率的に磁気処理される。
このような同極同士を対向させる態様は、例えば、空気の供給量が比較的少なく、ケース２内に比較的緩やかな水流を形成する場合に好適である。
【００３９】
なお、上記の実施形態では複数の永久磁石４を金属板４０を挟んで組み立てた磁石組立体４１を示したが、上記実施形態の説明から理解されるように、本考案では、永久磁石４を隙間４２をもって実質的に対向させた態様であってもよく、これによって、これら永久磁石４間に形成される磁力線で、隙間４２を通る水流を磁気処理することができる。
【符号の説明】
【００４０】
１：水槽用水処理装置、  ２：ケース、
３：フレーム、  ４：永久磁石、
２０：上部開口、  ２１：下部開口、
３１，３２：押え部材、  ３２ｂ：貫通孔、
３２ｃ：爪部（保持部）、  ３３：ネジ棒、
３４：ナット、  ４０：金属板、
４１：磁石組立体、  ４２：隙間、
９１：水槽、  ９３：チューブ、
【図１】
0003186756.tif 000003
【図２】
0003186756.tif 000004
【図３】
0003186756.tif 000005
【図４】
0003186756.tif 000006
【図５】
0003186756.tif 000007
【図６】
0003186756.tif 000008